(57)【要約】【課題】ＬＥＤの発光制御技術を活用してユーザに対し、インスタントカメラおよび記録装置の動作状況を的確に伝えることができるインスタントカメラ並びに記録装置を提供すること。【解決手段】インスタントカメラ１００のカメラボディ１００ａに表示用の４つの光源ＬＥＤ１〜光源ＬＥＤ４を設ける。１回の撮影操作に応じて行われる露光動作、展開動作、排出動作までの一連の処理の進行状況に応じて４つの光源ＬＥＤ１〜ＬＥＤ４を異なる表示態様で点滅させ、ユーザにどの段階の処理が行なわれているかを的確に示し伝える。【選択図】図１
2004212831.tif 000002
【特許請求の範囲】
【請求項１】
現像液を内蔵し感光後に現像液が展開されて写真があらわれるインスタントフィルムが装填され、該インスタントフィルム上に露光を行なうとともに露光後のインスタントフィルムを、現像液を展開させながら排出するインスタントカメラにおいて、
撮影を指示するための撮影ボタンと、
前記撮影ボタンを点灯させる光源を含む、インスタントフィルムを排出する排出方向に並ぶ複数の光源と、
インスタントフィルム排出中、前記複数の光源に、前記排出方向に順次に繰り返し点滅させる排出表示モードによる表示を行わさせる表示制御部とを備えたことを特徴とするインスタントカメラ。
【請求項２】
閃光発光用の電力を蓄積するメインコンデンサと、前記メインコンデンサから電力の供給を受け、撮影に同期して閃光を発光する閃光発光部と、前記メインコンデンサを、インスタントフィルム排出直後のタイミングを含む所定のタイミングで充電する充電部とを具備する閃光発光装置を備え、
前記表示制御部は、前記充電部による充電中、前記複数の光源に、前記排出表示モードよりも短い周期で順次繰り返し点滅させる充電表示モードによる表示を行なわさせるものであることを特徴とする請求項１記載のインスタントカメラ。
【請求項３】
前記撮影ボタンを操作してから所定のセルフタイマ秒時経過後に撮影を行なうセルフタイマ撮影モードを有し、
前記表示制御部は、前記複数の光源に、前記セルフタイマ撮影モードにおいて前記撮影ボタンを操作後前記セルフタイマ秒時の間、先ず該撮影ボタンを点灯あるいは点滅させ、途中から前記複数の光源の全てを同時に点灯もしくは点滅させるセルフタイマ表示モードによる表示を行なわさせるものであることを特徴とする請求項１又は２記載のインスタントカメラ。
【請求項４】
前記撮影ボタンの１回の操作に応じて、所定のセルフタイマ秒時経過後に操作を行って露光されたインスタントフィルムを排出する動作を２回繰り返すダブルセルフ撮影モードを有し、
前記表示制御部は、前記ダブルセルフ撮影モードにおいて、２回の撮影の間に前記充電表示モードによる表示を介在させずに同一の表示態様を２回繰り返させ、その後前記充電表示モードによる表示を行なわさせるものであることを特徴とする請求項２記載のインスタントカメラ。
【請求項５】
前記表示制御部は、前記複数の光源に、前記ダブルセルフ撮影モードにおいて、前記撮影ボタン操作後前記セルフタイマ秒時の間、先ず該撮影ボタンを点灯あるいは点滅させ、途中から前記複数の光源の全てを点灯もしくは点滅させるセルフタイマ表示モードによる表示を行なわさせ、インスタントフィルム排出中、前記排出表示モードによる表示を行なわさせ、２回目の撮影に先立って再度前記セルフタイマ表示モードによる表示を行なわさせ、さらに２枚目のインスタントフィルム排出中、再度前記排出表示モードによる表示を行なわさせ、２枚目のインスタントフィルム排出後に前記充電表示モードによる表示を行なわさせるものであることを特徴とする請求項４記載のインスタントカメラ。
【請求項６】
前記表示制御部は、撮影が禁止された状態において所定の操作に応じて前記複数の光源に、繰り返し点滅させるデモ表示モードによる表示を行なわさせるものであることを特徴とする請求項１記載のインスタントカメラ。
【請求項７】
記録媒体に記録を行なって記録後の記録媒体を排出する記録装置において、
記録を指示するための記録指示ボタンと、
前記記録指示ボタンを点滅させる光源を含む、記録媒体の排出方向に並ぶ複数の光源と、
記録後の記録媒体排出中、前記複数の光源に、前記排出方向に順次点滅させる排出表示モードによる表示を行なわさせる表示制御部とを備えたことを特徴とする記録装置。
【請求項８】
前記記録指示ボタンの１回の操作に応じて記録媒体への記録と記録後の記録媒体の排出を複数回繰り返す複数記録モードを有し、
前記表示制御部は、前記複数記録モードにおいて、前記複数の光源に、同一の表示態様を複数回繰り返させるものであることを特徴とする請求項７記載の記録装置。
【請求項９】
前記表示制御部は、記録媒体への記録が禁止された状態において所定の操作に応じて前記複数の光源に、繰り返し点滅させるデモ表示モードによる表示を行なわさせるものであることを特徴とする請求項７記載の記録装置。
【発明の詳細な説明】
【０００１】
【発明の属する技術分野】
本発明は、現像液を内蔵し感光後に現像液が展開されて写真があらわれるインスタントフィルムが装填され、そのインスタントフィルム上に露光を行なうとともに露光後のインスタントフィルムを、現像液を展開させながら排出するインスタントカメラおよび記録媒体に記録を行なって記録後の記録媒体を排出する記録装置に関する。
【０００２】
【従来の技術】
カメラには発光ダイオード（以下ＬＥＤという）を発光させて警告表示や操作説明などを行なうものがある。このようなものの中には絞りを調節するダイヤルの外周に設けられている複数のＬＥＤのうちいずれかのＬＥＤを点灯させて最適な絞り位置をユーザに知らせるようなものもある（例えば特許文献１参照）。
【０００３】
また、振動センサにより手ぶれを検出してＬＥＤの点滅表示を行なって撮影者に手ぶれが発生したことを告知するものもある（例えば特許文献２参照）。
【０００４】
これらのカメラにおいてはＬＥＤを活用してユーザに対して適切な撮影操作を伝えることが行なわれる。
【０００５】
ところで、カメラの中にはインスタントカメラと呼ばれるもので、低価格で誰でも気軽に使用することができるものがある。このようなインスタントカメラでは低価格であるが故に表示装置などを設けずにファインダのみで撮影画角が視認されるものが多い。インスタントカメラは現像液を内蔵し感光後に現像液が展開されて写真があらわれるインスタントフィルムが装填され、そのインスタントフィルム上に露光を行なうとともに露光後のインスタントフィルムを、現像液を展開させながら排出することが行なわれる。そして排出された後所定の時間を置いてインスタントフィルム上に写真があらわれる。表示装置が省略されたインスタントカメラでは表示装置を用いて動作モードや動作状態を知らせるという訳にはいかない。そのためインスタントフィルムが展開され排出されているときに時間がかかり過ぎるのではないか、故障したのではないかという不安感をユーザに持たせかねない。
【０００６】
また記録媒体に記録を行なって記録後の記録媒体を排出する記録装置においても同様のことが言える。
【０００７】
【特許文献１】
特開２００２−２０２５５０号公報
【特許文献２】
特開２００２−３２８４０８号公報
【０００８】
【発明が解決しようとする課題】
本発明は、上記事情に鑑み、上記ＬＥＤの発光制御技術を活用してユーザに対しインスタントカメラおよび記録装置の動作状況を的確に伝えることができるインスタントカメラおよび記録装置を提供することを目的とする。
【０００９】
【課題を解決するための手段】
上記目的を達成する本発明のインスタントカメラは、現像液を内蔵し感光後に現像液が展開されて写真があらわれるインスタントフィルムが装填され、該インスタントフィルム上に露光を行なうとともに露光後のインスタントフィルムを現像液を展開させながら排出するインスタントカメラにおいて、
撮影を指示するための撮影ボタンと、
上記撮影ボタンを点灯させる光源を含む、インスタントフィルムを排出する排出方向に並ぶ複数の光源と、
インスタントフィルム排出中、上記複数の光源に、上記排出方向に順次に繰り返し点滅させる排出表示モードによる表示制御部とを備えたことを特徴とする。
【００１０】
このようにするとインスタントフィルム排出中であることがＬＥＤの点滅によりユーザに対し的確に伝えることができる。
【００１１】
ここで閃光発光用の電力を蓄積するメインコンデンサと、
上記メインコンデンサから電力の供給を受け、撮影に同期して閃光を発光する閃光発光部と、
上記メインコンデンサを、インスタントフィルム排出直後のタイミングを含む所定のタイミングで充電する充電部とを具備する閃光発光装置を備え、
上記表示制御部は、上記充電部による充電中、上記複数の光源に、上記排出表示モードよりも短い周期で順次繰り返し点滅させる充電表示モードによる表示を行なわさせるものであることが好ましい。
【００１２】
このようにすることで、閃光を伴う撮影が行なわれたときにインスタントフィルム排出直後のタイミングを含む所定のタイミングで充電が行なわれることもユーザに対し的確に伝えることができる。ここでは、上記排出表示モードでの表示と区別を付けるため、上記充電部による充電中に上記排出表示モードでの表示のときよりも短い周期で上記複数の光源を順次点滅させることが行われる。
【００１３】
また、上記撮影ボタンを操作してから所定のセルフタイマ秒時経過後に撮影を行なうセルフタイマ撮影モードを有し、
上記表示制御部は、上記セルフタイマ撮影モードにおいて上記撮影ボタンを操作後上記セルフタイマ秒時の間、先ずその撮影ボタンを点灯あるいは点滅させ、途中から上記複数の光源の全てを同時に点灯もしくは点滅させるセルフタイマ表示モードによる表示を行なわさせるものであることが好ましい。
【００１４】
このようにセルフタイマ表示モードによる表示が行われると、撮影ボタンが押下され、撮影操作が行われたことと、撮影タイミングが近いことをユーザに的確に知らせることができる。特にセルフタイマを作動させて自己撮りなどの撮影を行なう場合にセルフタイマ表示モードによる表示によって被写体である撮影者にセルフタイマが作動していることを的確に伝えることができる。
【００１５】
また、上記撮影ボタンの１回の操作に応じて所定のセルフタイマ秒時経過後に操作を行って露光されたインスタントフィルムを排出する動作を２回繰り返すダブルセルフ撮影モードを有し、上記表示制御部は、上記ダブルセルフ撮影モードにおいて、２回の撮影の間に上記充電表示モードによる表示を介在させずに同一の表示態様を２回繰り返させ、その後上記充電表示モードによる表示を行なわさせるものであることが好ましい。
【００１６】
上記本発明のインスタントカメラでは、ダブルセルフタイマモードを有しており、２枚続けて撮影を行える。このときには１回目の撮影と２回目の撮影のときに同じ表示態様を繰り返させることにより、１回目の撮影タイミングと２回目の撮影タイミングをユーザに的確に伝えることができる。ここで、このインスタントカメラでは１回目の撮影のときに閃光を伴う撮影が行われても２回目の撮影が行なわれる前に充電表示モードでの表示が行なわれない。こうしておくことで一回目の撮影に続けて２回目の撮影が行われることをユーザに明確に伝えることができる。その結果、撮影者である被写体が２回目の撮影の前にセルフタイマが作動していることに気が付かず、気が緩んで体勢が崩れるといったことによって起こり得る撮影の失敗を防ぐことができる。
【００１７】
具体的には上記表示制御部は、上記ダブルセルフ撮影モードにおいて、上記撮影ボタン操作後上記セルフタイマ秒時の間、先ずその撮影ボタンを点灯あるいは点滅させ、途中から上記複数の光源の全てを点灯もしくは点滅させるセルフタイマ表示モードによる表示を行なわさせ、インスタントフィルム排出中、上記排出表示モードによる表示を行なわせさせ、２回目の撮影に先立って再度上記セルフタイマ表示モードによる表示を行なわさせ、さらに２枚目のインスタントフィルム排出中、再度上記排出表示モードによる表示を行なわさせ、２枚目のインスタントフィルム排出後による表示を行なわさせるものであることが好ましい。
【００１８】
また、上記表示制御部は、撮影が禁止された状態において所定の操作に応じて上記複数の光源に繰り返し点滅させるデモ表示モードによる表示を行なわさせるものであることが好ましい。
【００１９】
このようにデモ表示モードを有することでこのインスタントカメラに配備された複数の光源の機能をユーザに対し強烈にアピールすることができる。また店頭でこのインスタントカメラを販売するときに、上記複数の光源がこのインスタントカメラの一連の動作に応じて点灯するものであることをユーザに対して説明すれば、このインスタントカメラが使い易いものであることをユーザに対し強烈にアピールすることができる。
【００２０】
また記録媒体に記録を行なって記録後の記録媒体を排出するプリンタなどの記録装置にも上記表示制御部を適用することが考えられる。
【００２１】
その記録装置に上記表示制御部を適用する場合、上記本発明の記録装置は、
記録媒体に記録を行なって記録後の記録媒体を排出する記録装置において、
記録を指示するための記録指示ボタンと、
上記記録指示ボタンを点滅させる光源を含む、記録媒体の排出方向に並ぶ複数の光源と、
記録後の記録媒体排出中、上記複数の光源に、上記排出方向に順次点滅させる排出表示モードによる表示を行なわさせる表示制御部とを備えたことを特徴とする。
【００２２】
このように上記表示制御部を記録装置に持たせることで、露光動作から排出動作に至るまでの記録操作に係る一連の記録動作の進行状況をユーザに対し的確に伝えることができる。
【００２３】
ここで、上記記録指示ボタンの１回の操作に応じて記録媒体への記録と記録後の記録媒体の排出を複数回繰り返す複数記録モードを有し、上記表示制御部は、上記複数記録モードにおいて上記複数の光源に、同一の表示態様を複数回繰り返させるものであることが好ましく、さらに上記表示制御部は、記録媒体への記録が禁止された状態において所定の操作に応じて上記複数の光源に繰り返し点滅させるデモ表示モードによる表示を行なわさせるものであることが望ましい。
【００２４】
このようにこの記録装置が複数記録モードを有すると、何枚もの記録媒体に記録を繰り返し行うことができ、一度に何枚もの写真を得ることができる。このときに排出表示モードによる表示が上記複数の光源により繰り返し行われると、記録動作が繰り返し行われていることをユーザに対して的確に伝えることができる。そうすることで記録媒体たとえばインスタントフィルムが排出されるまでに時間がかかり過ぎるのではないかとか故障したのではないかという不安感をユーザに持たせるといったことが解消される。
【００２５】
また上記表示制御部がデモ表示モードを有すると、前述したインスタントカメラと同様の効果が得られる。
【００２６】
【発明の実施の形態】
以下、本発明の実施形態を説明する。
【００２７】
図１、図２は本発明の実施形態であるインスタントカメラの外観を示す構成斜視図である。
【００２８】
図１には電源が投入されていない時にレンズ鏡胴が沈胴された状態が示されており、図２には電源が投入されてレンズ鏡胴が繰出された状態が示されている。
【００２９】
図１、図２を参照してこのインスタントカメラ１００の構成を説明する。
【００３０】
図１、図２に示すようにレンズ鏡胴１１０がカメラボディ１００ａ中央に配設されている。図１に示すようにレンズ鏡胴１１０が沈胴されているときにはレンズ鏡胴１１０に内蔵されるレンズを通してカメラボディ１００ａ内部に光が侵入しないようにバリア１１１によってレンズ鏡胴１１０の先端が覆われている。ここで電源が投入されると、図２に示すようにバリア１１１が開放されてレンズ鏡胴１１０が繰出され、撮影レンズ１１２があらわれる。その撮影レンズ１１２を通して内部に装填されたフィルムに被写体光が導かれる。ここでカメラボディ上面に設けられている撮影ボタン１１３が操作されると撮影が行われる。
【００３１】
図２に示すようにレンズ鏡胴１１０が繰出され、撮影ボタン１１３が操作されて撮影が行なわれるときには、そのレンズ鏡胴１１０の右斜め上方にあるファインダ１２０によって撮影画角が視認され、撮影が行なわれる。このインスタントカメラ１００ではこのファインダ１２０を覗きながら撮影が行なわれるときに、そのファインダ１２０の下方にある受光窓１２１を通して導かれる被写界光に基づいて被写界輝度が測定される。この被写界輝度の測定はカメラ内部に配備される測光装置によって行われ、その測光装置には測光素子ここではＳＰＤ（Ｓｉｌｉｃｏｎ  Ｐｈｏｔｏ  Ｄｉｏｄｅ）が配備されている。この測光装置によって被写界輝度の測定が行われ、その測定結果に基づいて撮影ボタン１１３の押下に同期して作動するシャッタのシャッタ秒時が調節されて撮影が行われる。
【００３２】
また、このインスタントカメラ１００には、測光装置により被写界輝度が測定され、その測定された被写界輝度が低輝度であると後述するＣＰＵで判定されたときに閃光を発光するための閃光発光装置も配備されている。測光装置により被写界輝度が測定されてその測定結果がＣＰＵで低輝度であると判定された場合にはファインダ１２０下方にある閃光発光窓１３０ａを通して閃光発光装置が有する閃光発光部からの閃光が被写体に向けて発せられる。さらにこの閃光が発せられたときに閃光発光の光量を検知して自動的に閃光を停止させるための調光装置に閃光を導くための調光窓１２２も受光窓１２１に並んでカメラボディ１００ａには設けられている。
【００３３】
このようにこのインスタントカメラ１００では測光装置ここではＳＰＤによって被写界輝度が測定され、その測定された被写界輝度に基づいてシャッタ秒時が調節され撮影が行なわれる。またこの測光装置によって測定された被写界輝度が低輝度であるとカメラ内部に配備されているＣＰＵに判定された場合には閃光発光装置から閃光が発せられて撮影が行なわれる。さらにこのインスタントカメラではその閃光の光量がフィルムに対して正しく与えられるように調光装置により閃光の光量が検知されて閃光時間が制御され、高品位な撮影が行なわれるようにもなっている。このようにこのインスタントカメラ１００では測光装置や調光装置が作動してフィルムに適正な光量が与えられて撮影が行なわれる。
【００３４】
このようなインスタントカメラ１００ではそのフィルムとしてインスタントフィルムが積層されたインスタントフィルムパックと呼ばれるものがカメラボディ１００ａ内部の装填室に装填されている。このインスタントパックにはインスタントフィルムが積層されており、その積層されたインスタントフィルムの中の最上部にある一枚のインスタントフィルムに撮影操作に応じて露光が行われ、露光終了後に現像液を展開させながらそのインスタントフィルムをカメラ外部へ排出することが行われる。そのため、このカメラボディ１００ａ内部には撮影操作に応じてインスタントフィルムを排出口まで搬送するための搬送機構や現像液を展開させるための展開ローラが配備されている。１回の撮影操作が行われてインスタントフィルムに露光が行なわれた後は、その搬送機構によりインスタントフィルムを展開ローラ側に導き、さらにその展開ローラによって現像液を展開させながら排出口１０１からインスタントフィルムを排出するようになっている。このようにして展開ローラによって現像液が展開されたインスタントフィルムが排出口１０１から排出された後、所定の時間が経過するとそのインスタントフィルム上に写真があらわれるようになっている。このようにインスタントカメラでは、１回の撮影操作に応じて、露光動作、展開（現像）動作、排出動作の一連の処理が後述するＣＰＵにより制御されて、現像液が展開されたインスタントフィルムがインスタントカメラ外部に排出されて一枚の写真が出来上がる。
【００３５】
このように一連の処理がＣＰＵにより制御されているので、このインスタントカメラ１００ではその一連の処理のタイミングに同期させて４つの光源ＬＥＤ１〜ＬＥＤ４を順次点滅させることが行われる。なお、ここでは光源としてＬＥＤが使用されている。この４つの光源ＬＥＤ１〜ＬＥＤ４はレンズ鏡胴１１０上方に、インスタントフィルムを排出する排出方向に並んで配設されており、それら４つの光源ＬＥＤ１〜光源ＬＥＤ４のうち、最も排出口に近い側の光源ＬＥＤ１は撮影の指示を与える撮影ボタンとしても働くようになっている。
【００３６】
この撮影ボタンと兼用の光源ＬＥＤ１あるいは撮影ボタン１１３がユーザにより押下され撮影操作が行なわれたときにはその撮影操作に応じて４つの光源ＬＥＤ１〜光源ＬＥＤ４が順次点滅するようになっている。前述したように露光動作、展開（現像）動作、排出動作の一連の処理はＣＰＵにより制御されるものであるから、ＣＰＵではその一連の処理に同期させて４つの光源ＬＥＤ１〜ＬＥＤ４を順次点滅させることができる。
【００３７】
図３はこのインスタントカメラの排出口がある側の側面図である。
【００３８】
またこのインスタントカメラは複数の撮影モードを有しており、それらのモードを起動させるための複数の操作子が排出口１０１の右側に並んで設けられている。
【００３９】
図３に示すように、それら操作子にはセルフタイマモードスイッチ１０２、遠景／閃光強制オフモード切替スイッチ１０３、明暗輝度モード切替スイッチ１０４がある。これらのスイッチのほかにパワースイッチ１０５もＬＣＤ表示器１５０を挟んで反対側に設けられている。
【００４０】
このインスタントカメラ１００ではセルフタイマーモードスイッチ１０２が押されて、セルフタイマーモードが起動されるとセルフタイマ撮影を行える。このセルフタイマモードは自己撮り撮影などが行われるときに用いられ、撮影者自らが撮影ボタン１０６あるいは撮影ボタンと兼用の光源ＬＥＤ１を押してから被写体になって撮影を行なえる。またこのインスタントカメラ１００にはダブルセルフタイマーモードというものも配備されており、セルフタイマスイッチが２度押しされるとダブルセルフタイマーモードが起動され、２回続けてセルフタイマーモードでの撮影を行うこともできる。このダブルセルフタイマモードでは２回続けてセルフタイマ撮影を行なえるので、１回目の撮影で撮影された人物が姿勢を変えて同じ背景をバックに撮影を行なうこともできる。
【００４１】
セルフタイマモードおよびダブルセルフタイマモードが起動されて撮影が行なわれるときにはＣＰＵによりセルフタイマモードスイッチ１０２の操作状況に応じて４つの光源ＬＥＤ１〜ＬＥＤ４の点滅が制御される。
【００４２】
またこのインスタントカメラ１００には遠景モードと閃光強制オフモードも配備されている。これらモードの切替は遠景／閃光強制オフモード切替スイッチ１０３により行われ、ユーザによりこの遠景／閃光強制オフモード切替スイッチ１０３が押下されるたびに遠景モードあるいは閃光発光強制オフモードが起動する。このインスタントカメラ１００では主に室内あるいは近くにある被写体の撮影が行われることを想定して、近距離にピントが定められるようにレンズが配置されている。そこでこの遠景／閃光強制オフ切替スイッチ１０３が押下されて遠景モードが選択されたときには所定の距離から十分遠方のところまでピントがあうようにレンズ鏡胴が駆動されレンズ位置が調整される。またこの遠景／閃光強制オフモード切替スイッチ１０３が再度押されて閃光強制オフモードが選択されると、閃光発光が禁止されて被写界輝度が低輝度であっても閃光発光の伴わない撮影を行なえる。
【００４３】
またこのインスタントカメラには明暗輝度モードも配備されており、明暗輝度モード切替スイッチ１０４のトグル操作により明モードと暗モードとが切り替えられる。明モードが選択されると、仕上がった写真全体の明るさが明るくなるようにシャッタ秒時が調整される。ここでは明側が明暗モード切替スイッチ１０４により選択されたら、測光装置（ＳＰＤ）１４２で測定された被写界輝度をそのまま使用せずに、たとえばその測光装置により測定された被写界輝度よりも被写界輝度が暗いとしてシャッタ秒時を調節する。そうすると、測光装置（ＳＰＤ）で測定された測定結果に基づいてそのままシャッタ秒時を調整するときに比べて多めの光量がフィルムに与えられて撮影が行われ、全体的に明るめの写真が得られる。明暗輝度モード切替スイッチ１０４で暗モードが選択されたときにはその逆で全体に暗めの写真が得られる。
【００４４】
また各スイッチが並んでいる部分にはＬＣＤ表示装置のＬＣＤパネル１５０が設けられており、各スイッチの操作状態がそのＬＣＤパネル１５０上に表示され、ユーザに対してどの撮影モードであるかを知らせるようになっている。
【００４５】
以上説明したようにいずれかの操作子により設定された撮影モードに応じてインスタントカメラ１００内部の信号処理部で処理が行なわれ、撮影が行なわれる。
【００４６】
図４はインスタントカメラ１００内部に配備される信号処理部の構成を示す構成ブロック図である。このデジタルカメラは統括的にＣＰＵによって制御される。
【００４７】
このＣＰＵ１４０はＥＥＰＲＯＭ１４１を備えており、このＥＥＰＲＯＭ１４１にはカメラ動作の処理の手順を示すプログラムが格納されている。またＣＰＵ１４０には操作子群１０の設定状況に基づいた信号や測光装置（ＳＰＤ）１４２からの測定結果が入力されるようになっており、ＣＰＵ１４０ではこれら入力された信号に応じて第１駆動部１４３、第２駆動部１４６、４つの光源ＬＥＤ１〜ＬＥＤ４および閃光発光装置１３０に信号を供給してカメラ動作全体を制御する。図４に示すＣＰＵ１４０と４つの光源ＬＥＤ１〜ＬＥＤ４の点滅の手順が示されているＥＥＰＲＯＭ１４１が本発明にいう表示制御部に当たる。
【００４８】
操作子群１０の中には図３に示したようにセルフタイマースイッチ１０２、遠景／閃光強制オフモード切替スイッチ１０３、明暗輝度モード切替スイッチ１０４があり、これらのスイッチの操作状況に応じてＣＰＵ１４０によってそれらスイッチで指定される撮影モードに応じて第１駆動部１４３、第２駆動部１４６、４つの光源ＬＥＤ１〜ＬＥＤ４および閃光発光装置１３０の制御が行なわれる。なお操作子群１０の中には撮影ボタン１１３、パワースイッチ１０５も含まれている。
【００４９】
なお光源ＬＥＤ１は撮影ボタンと兼用の光源となっているのでこの光源ＬＥＤ１には図中ＣＰＵ１４０側へ供給される信号の経路を矢印で示してある。
【００５０】
またこのインスタントカメラ１００の閃光発光装置１３０には充電装置も備えられており、閃光発光装置１３０内に配備されるメインコンデンサにその充電装置によって充電が行われる。図中符合ＦＬＡＳＨで示される信号は閃光発光の指示信号で、そのほかに閃光発光装置１３０内に配備される充電装置に充電指示を与える充電指示信号（不図示）も供給される。この充電指示信号は閃光発光装置１３０内に配備される電圧モニタからの信号を受けてＣＰＵ１４０から閃光発光装置１３０内の充電装置に向けて発せられる。ＣＰＵ１４０から閃光発光装置１３０へ供給される充電指示信号は撮影操作が行われて閃光が発せられたときにインスタンフィルム排出直後のタイミングを含む所定のタイミングで供給される。またこのインスタントカメラの未使用時間が長く、メインコンデンサの電圧が低下していることが電圧モニタを通してＣＰＵで検知されたときにもこの充電指示信号が閃光発光装置１３０に供給される。
【００５１】
以上のような構成を有するインスタントカメラが使用されるときにどのような処理が行なわれるかを、図４を参照して順を追って説明する。
【００５２】
まず、操作子群１０の中のパワースイッチ１０５（図３参照）が投入されたら、ＣＰＵ１４０でパワースイッチ１０５が投入されたことが検知され、ＣＰＵ１４０により電池（不図示）と図４に示す第１駆動部１４３、第２駆動部、閃光発光装置などの各部が接続されて電池から電力が各部に供給される。このように図４に示す各部に電力が供給されたら、ＣＰＵ１４０によってレンズ鏡胴の繰出しが行われる。このときにはＣＰＵ１４０から第１駆動部１４３にレンズ鏡胴モータ１４４の駆動指示が出されて、第１駆動部１４３によってレンズ鏡胴モータ１４４が駆動される。このようにレンズ鏡胴が繰出されたら撮影スタンバイモードになり、撮影ボタン１１３あるいは撮影ボタンと兼用の光源ＬＥＤ１や各操作子１０２〜１０４の操作を受け入れる状態になる。ここで撮影ボタン１１３あるいは撮影ボタンと兼用の光源ＬＥＤ１が押されて撮影操作が行われたら、ＣＰＵ１４０から第１駆動部１４３にシャッタの開閉指示信号ＳＨＵＴＴＥＲが供給される。第１駆動部１４３ではその開閉指示信号ＳＨＵＴＴＥＲを受けてシャッタモータの駆動が行われる。そしてこのシャッタモータにより駆動されるシャッタ羽根によって光軸が開放されてインスタントフィルムに光量が与えられる。このシャッタ羽根の開閉指示信号ＳＨＵＴＴＥＲはシャッタ羽根の開閉状態に対応する２つのレベルを有する信号であり、ここではその２つのレベルの信号のうち、ハイレベル状態になるとシャッタモータが回動してその回動とともに駆動されるシャッタ羽根によって光軸が開放され、ローレベル状態になるとシャッタモータが反対方向に回動してシャッタ羽根が駆動されそのシャッタ羽根によって光軸が閉鎖される構成になっている。このインスタントカメラ１００ではこのシャッタの開閉指示信号ＳＨＵＴＴＥＲのハイレベルの継続時間によってシャッタ秒時が調節されてフィルムに対して適正な光量が与えられる。
【００５３】
このシャッタ秒時は測光装置１４２（ＳＰＤ）で測定された測光値がＣＰＵ１４０により算出されて定められるものであり、その算出されたシャッタ秒時分、ＣＰＵ１４０から第１駆動部１４３にハイレベル状態の開閉指示信号ＳＨＵＴＴＥＲがハイレベルになって供給されてシャッタモータ１４５とともにシャッタが回動され、光軸が開放される。そしてシャッタ秒時分経った後でその開閉指示信号ＳＨＵＴＴＥＲをローレベルに反転させることによってシャッタモータ１４５とともにシャッタ羽根を逆方向に回動させ、光軸が閉鎖される。この光軸が閉鎖された後所定の時間経過したら、今度はＣＰＵ１４０から第２駆動部１４６にハイレベル状態の展開指示信号ＭＯＴＯＲが供給され、展開モータ１４７が駆動される。この展開モータは前述した搬送機構並びに展開ローラを駆動するもので、この展開モータ１４７が駆動されると、搬送機構によってインスタントフィルムが展開ローラまで導かれ、さらにその展開ローラにより排出口１０１からインスタントフィルムが排出される。
【００５４】
本実施形態のインスタントカメラ１００ではＣＰＵ１４０によってこれら一連の撮影動作に係る処理に同期して４つの光源ＬＥＤ１〜光源ＬＥＤ４を順次点滅させる制御が行われている。ここでは４つの光源ＬＥＤ１〜光源ＬＥＤ４が排出方向に向かって並んで配設されているので、これらの光源をうまく組み合わせて点滅させることにより種々の表示態様を実現させ、撮影操作が行われたことと、その撮影操作に応じた撮影タイミングと、撮影開始から露光動作、排出動作さらには充電動作に至るまでの各動作のタイミングをユーザに的確に知らせることが行われる。このような異なる表示態様を実現させるのが本発明にいう表示制御部に当たるＣＰＵ１４０とＥＥＰＲＯＭ１４１である。このインスタントカメラの表示制御部に当たるＣＰＵ１４０は同じく表示制御部に当たるＥＥＰＲＯＭ１４１に記述されているプログラムに基づいて４つの光源を異なる表示態様で点滅させることができる。ＥＥＰＲＯＭ１４１に記述されているプログラムには排出表示モードと、充電表示モードと、セルフタイマー表示モードと、デモ表示モードの４つの表示モードとに対応する処理手順がそれぞれ記述されている。したがってＣＰＵは操作子群のいずれかが押されたことを受けて、上記モードの中からいずれかのモードを起動させ、異なる表示モードで４つの光源に表示を行わさせることができる。
【００５５】
撮影操作に係る一連のカメラ動作にあわせて４つの光源ＬＥＤ１〜光源ＬＥＤ４をどのように点滅させるかを図４を参照して説明する。
【００５６】
まず、撮影操作が行われたことをユーザに知らせるにあたり、撮影ボタンと兼用の光源ＬＥＤ１を点灯させることがＣＰＵ１４０により行われている。このようにＥＥＰＲＯＭに記述されているプログラムに基づいてＣＰＵ１４０によって撮影ボタンと兼用の光源ＬＥＤ１を点灯させると、撮影操作が行われたことをユーザに対し的確に伝えることができる。
【００５７】
この光源ＬＥＤ１の点灯は撮影操作から露光動作が完了するまで継続される。この点灯の継続によって露光中であることもユーザに対し示される。そして露光動作が終了したら、ＣＰＵ１４０はその点灯していた光源ＬＥＤ１を消灯させて、４つの光源ＬＥＤ１〜ＬＥＤ４を順次点滅させる。このときには露光が終了したことをＣＰＵ１４０が認識しているので、第２駆動部１４６に展開指示信号ＭＯＴＯＲを供給するときにこの展開指示信号ＭＯＴＯＲに同期させて４つの光源ＬＥＤ１〜ＬＥＤ４に点滅信号ＬＥＤ１〜ＬＥＤ４を順次供給することがＣＰＵにより行われる。
【００５８】
このときの４つの光源を順次点滅させる表示が排出表示モードに当たる。そしてインスタントフィルムが排出口からカメラ外部に完全に排出されたらこの排出表示モードによる表示を終了させるため、ＣＰＵ１４０から４つの光源ＬＥＤ１〜光源ＬＥＤ４に対して点滅信号ＬＥＤ１から点滅信号ＬＥＤ４をローレベルに保持した信号が供給される。これら４つの光源ＬＥＤ１〜ＬＥＤ４の点滅を指示する点滅信号ＬＥＤ１〜ＬＥＤ４も２つのレベルを有する信号であり、２つのレベルのうちハイレベル状態にあるときには光源が点灯してローレベル状態にあるときには光源が消灯する。
【００５９】
なお、光源ＬＥＤ１〜ＬＥＤ４に付された符号とそれら光源に供給される点滅信号ＬＥＤ１〜ＬＥＤ４に付された符号を同じ符合にしてあるのは、後述するタイミングチャートで表示のタイミングを説明するときに４つの光源を点滅させる信号がどの光源に対応するかを明確に示すためである。
【００６０】
以上の説明は撮影操作に同期して閃光発光が行われない場合のものであるが、撮影操作に同期して閃光発光が行われた場合にはメインコンデンサへの充電がインスタントフィルム排出直後のタイミングを含むタイミングで閃光発光装置１３０内の充電装置により行われるため、充電中であるということを４つの光源ＬＥＤ１〜ＬＥＤ４に異なる表示態様を持たせてユーザに示している。このときには上記排出表示モードによる表示のときよりも短い周期で４つの光源を点滅させることが行われる。これが充電表示モードに当たる。
【００６１】
このように撮影操作に係るインスタントフィルムの一連の展開動作に応じて４つの光源ＬＥＤ１〜光源ＬＥＤ４それぞれの点滅の周期がＣＰＵ１４０により制御されて、撮影操作が行われたか、インスタントフィルムに露光が行われているか、インスタントフィルムを展開させながら排出動作が行われているか、排出動作が完了してメインコンデンサの充電が行われているかがユーザに対し的確に伝えられる。
【００６２】
このように４つの光源ＬＥＤ１〜ＬＥＤ４を活用して異なる表示態様でそれら４つの光源を点滅させることで、ユーザに対しインスタントカメラの撮影操作に係る一連の動作の進行状況を的確に伝えることができる。特に撮影ボタンでもある光源ＬＥＤ１を撮影操作とともに点灯させるので、撮影操作が行なわれたことをユーザに対し、的確に伝えられることができる。
【００６３】
本実施形態のカメラでは４つの光源ＬＥＤ１〜光源ＬＥＤ４を活用してこのインスタンカメラが有する他の撮影モードが選択されたときにもその撮影モードでの動作状況をユーザに対し的確に使えることができる。
【００６４】
たとえば撮影操作が行われる前にセルフタイマモードスイッチ１０２が押されたら、セルフタイマ撮影モードであることがＣＰＵ１４０により検知され、ＥＥＰＲＯＭ１４１内に記述されているセルフタイマ処理の手順にしたがってＣＰＵ１４０によりセルフタイマ処理が行なわれる。このときにはＣＰＵ１４０内にセルフタイマ秒時を示す値が設定される。撮影ボタンと兼用の光源ＬＥＤ１または撮影釦１１３操作後、そのセルフタイマ秒時の間、先ず撮影ボタンと兼用の光源ＬＥＤ１を点灯させ、途中から４つの光源ＬＥＤ１〜ＬＥＤ４を同時に点滅させることがＣＰＵ１４０によって行われる。この表示態様がセルフタイマ表示モードに当たる。このように最初に撮影ボタンと兼用の光源ＬＥＤ１を点灯させて撮影操作が行われたことをユーザに対し伝えるとともに、途中から４つの光源ＬＥＤ１〜ＬＥＤ４を同時に点滅させることで撮影タイミングが近いことをユーザに知らせることができる。そして撮影ボタンと兼用の光源ＬＥＤ１の点灯および４つの光源ＬＥＤ１〜ＬＥＤ４の点滅がセルフタイマ秒時分継続されたら、その後シャッタ羽根が回動して光軸が開放されフィルムに光量が与えられる。そしてシャッタ秒時分シャッタ羽根が開放された後、再びシャッタ羽根によって光軸が閉鎖され、インスタントフィルムが露光されたら、展開動作から排出動作までの一連の処理がＣＰＵの指示に基づいて行われる。この露光後の一連の処理が行なわれているときには上記排出表示モードによる表示が行われる。またセルフタイマスイッチが２度押しされて、ダブルセルフタイマーモードであることがＣＰＵ１４０で検知されたら、２回続けて撮影を行うための処理が行われる。このダブルセルフタイマモードでは撮影ボタンの１回の操作に応じて所定のセルフタイマ秒時経過後に操作を行って露光されたインスタントフィルムを排出する動作が２回繰り返される。このときには表示制御部であるＣＰＵが２回の撮影の間に上記充電表示モードによる表示を介在させずに同一の表示態様を２回繰り返させ、その後充電表示モードによる表示を行なわさせている。こうすることによって１回目の撮影が終了して２回目の撮影に移行しているときに充電が行われてはいてもセルフタイマが作動して撮影タイミングが近いことの方を被写体でもある撮影者に対して的確に知らせることができる。そうすると、撮影者でもある被写体の人達に２回目の撮影タイミングを知らせることができ、２回目の撮影においても被写体の人達の姿勢が崩れることもなく被写体の人達が撮りたい写真を撮影することができる。
【００６５】
以上説明した表示態様を、タイミングチャートを参照して具体的に説明する。
【００６６】
図５は１回の撮影操作に係るインスタントの一連の動作を示すタイミングチャートである。図５の縦軸には振幅が横軸には時間がそれぞれ示してある。図５では上段に示されているタイミングチャートの続きが下段に示されている。
【００６７】
図５に示す各信号の項目名は図４に示した信号名に対応しており、それら信号名に対応する信号がＣＰＵからその信号に対応するところに供給される。また横軸に示されている数値が時間を示しており、単位はミリセカンドｍＳである。この図５では点滅信号ＬＥＤ１〜ＬＥＤ４並びに閃光発光の指示信号ＦＬＡＳＨ、シャッタの開閉指示信号ＳＨＵＴＴＥＲ、第２駆動部１４６への展開指示信号ＭＯＴＯＲはすべて２レベルの信号であり、その２レベルのうち、ハイ側が動作状態を示すものとして示されている。たとえば４つの光源を点滅させるための点滅信号ＬＥＤ１〜ＬＥＤ４であればハイ側が点灯状態を、シャッタを開閉するための開閉指示信号ＳＨＵＴＴＥＲであればハイ側がシャッタの開放状態を、閃光発光の指示信号ＦＬＡＳＨであればハイ側が閃光発光中であることを、展開モータを駆動するための展開指示信号ＭＯＴＯＲであればハイ側が展開モータ駆動中であることがそれぞれ示される。
【００６８】
まず、撮影ボタンと兼用の光源ＬＥＤ１あるいは撮影ボタン１１３が押されたことがＣＰＵ１４０に検知されるとＣＰＵからハイレベル状態の点滅信号ＬＥＤ１が光源ＬＥＤ１に供給されて光源ＬＥＤ１を点灯させることが行われる。そしてこのタイミングチャートではその撮影ボタンと兼用の光源ＬＥＤ１または撮影ボタン１１３が押されたときから５０ｍＳ経った後でシャッタ羽根によって光軸が開放されたと同時に閃光が発せられたことがシャッタの開閉指示信号ＳＨＵＴＴＥＲと閃光発光の指示信号ＦＬＡＳＨがハイレベル状態になっていることによって示されている。
【００６９】
この通常撮影においては撮影ボタンあるいは撮影ボタンが押された後、光源ＬＥＤ１を約２０００ｍｓ間点灯させ続け撮影操作が行われたことを少し余裕を持たせてユーザに伝えている。そして露光後２０００ｍｓ経ったら、光源ＬＥＤ１を消灯させてＣＰＵから第２駆動部１４６にハイレベル状態の展開指示信号ＭＯＴＯＲを供給している。この展開指示信号により展開モータが駆動され、展開指示信号ＭＯＴＯＲがハイレベル状態になっている間にフィルムシートを排出するまでの処理が行なわれる。この展開モータが駆動されている間が排出表示モードに当たるので、ここで４つの光源に点滅を指示する点滅信号ＬＥＤ１〜ＬＥＤ４を４つの光源を順次点滅させている。ここではまず光源ＬＥＤ４を点灯させ、次に所定の間隔ここでは２００ｍｓを置いて光源ＬＥＤ３、次に２００ｍｓおいて光源ＬＥＤ２、さらに２００ｍｓおいて光源ＬＥＤ１という順序で光源を順次点滅させている。光源ＬＥＤ４から光源ＬＥＤ１への方向は排出方向を示すもので、その方向に向かって順次光源ＬＥＤ１〜光源ＬＥＤ４の４つの光源の点滅を繰り返させている。図中光源ＬＥＤ４から光源ＬＥＤ１までの一連の点滅動作が３回繰り返し行われることが×３回という文字で示されている。そしてその３回の点滅動作は展開指示信号がハイレベル状態になっている間つまり４６００ｍｓの間続けられ、展開指示信号ＭＯＴＯＲをローに反転させたと同時に終了させているる。このように４つの光源ＬＥＤ１〜ＬＥＤ４が２００ｍｓごとに順次点滅を繰り返す表示態様が排出表示モードに当たる。この展開指示信号ＭＯＴＯＲがローに反転したときには既にインスタントフィルムが排出口からインスタントカメラ外部に排出されている。
【００７０】
そこで、ＣＰＵ１４０ではその排出されたタイミングを含む所定のタイミングここでは展開指示信号をローレベルに反転させたタイミングから１００ｍｓ後に充電表示モードでの表示を４つの光源に行わさせている。ここでは閃光発光の指示信号ＦＬＡＳＨからも分かるように閃光発光が行われているため、その充電が行なわれていることを４つの光源ＬＥＤ１〜光源ＬＥＤ４に充電表示モードによる表示を行わさせてユーザに対し伝えている。このときにはＣＰＵによって５０ｍｓごとに光源ＬＥＤ４から光源ＬＥＤ１さらに光源ＬＥＤ４というように各光源の点灯順序を変えて表示を行わせ、さらに排出表示モードによる表示のときよりも短い周期で４つの光源に順次、点滅を行わさせている。
【００７１】
このように４つの光源ＬＥＤ１〜ＬＥＤ４を異なる表示態様で点滅させることによってインスタントフィルムが排出口から排出されること、またその排出が終了したタイミングを含む所定のタイミングでメインコデンサに充電が行われていることがユーザに対し的確に伝えられる。
【００７２】
これら光源ＬＥＤ１〜ＬＥＤ４は４つあるので、これらをうまく組み合わせて点滅状態を変えることで、このインスタントカメラの他の動作状態もユーザに的確に伝えることができる。
【００７３】
図６はダブルセルフタイマ撮影モードが起動されて撮影が行なわれたときの４つの光源の点滅状態を示すタイミングチャートである。図６の縦軸には振幅が横軸には時間がそれぞれ示されている。図６では上段に示されているタイミングチャートの続きが中段さらには下段に示されている。
【００７４】
このダブルセルフタイマ撮影モードは２回セフルタイマによる撮影が行なわれる。まずセルフタイマスイッチが２度押しされてダブルセルフタイマ撮影モードが起動されて撮影ボタンと兼用の光源ＬＥＤ１または撮影ボタン１１３が押されたら、ＣＰＵ１４０は撮影操作が行われたことをユーザに知らせるため光源ＬＥＤ１を６３５０ｍｓ間点灯させ続ける。そして６３５０ｍｓ経ったら光源ＬＥＤ１を消灯させ、その後２００ｍｓ後に４つの光源を同時に点滅させている。この点滅は１５０ｍｓごとに１０回繰り返され、最初の光源ＬＥＤ１の点灯時間と合わせたトータルの時間がセルフタイマ秒時に当たる。この４つの光源ＬＥＤ１〜ＬＥＤ４を同時に点滅させているのは被写体になっている撮影者に対し、撮影タイミングが近いことを知らせるためである。そして４つの光源ＬＥＤ１〜ＬＥＤ４を点滅させた後、露光動作から排出動作までの一連の撮影動作にしたがって排出表示モードによる表示が行われる。図６に示すダブルセルフタイマモードでは撮影ボタンの１回の操作に応じて所定のセルフタイマ秒時経過後に操作を行って露光されたインスタントフィルムを排出する動作が２回繰り返し行われるため、２回の撮影の間に充電表示モードによる表示を介在させずに同一の表示態様を２回繰り返させ、その後充電表示モードによる表示を行なわさせることが示されている。このときには撮影操作が行われたことをユーザに対し的確に伝えるため、撮影ボタンででもある光源ＬＥＤ１を点灯させることと、１回目と２回目の撮影撮影タイミングが近いことを４つの光源ＬＥＤ１〜ＬＥＤ４を同時に点滅させることが行われている。
【００７５】
このようにしておくことで１回の撮影が終了した後で充電が行われていたとしても１回目の撮影時と同様にセルフタイマが作動していることと撮影が近いことをユーザに対し的確に伝えることができる。
【００７６】
ここではダブルセルフタイマモードについて説明したが、セルフタイマモードにおいては４つの光源に同じ表示態様で２回行わさせているセルフタイマ表示モードによる表示を１回行わさせている。
【００７７】
また本実施形態のインスタンカメラにはこのインスタントカメラを店頭で販売する時にこれら４つのＬＥＤを点滅させることによって、このインスタントカメラに配備されている４つの光源の機能をユーザに強烈にアピールすることができるようにデモ表示モードも配備されている。
【００７８】
このデモ表示モードにおいては、ＣＰＵ１４０とＥＥＰＲＯＭ１４１とからなる表示制御部は撮影が禁止された状態において所定の操作に応じて複数の光源に繰り返し点滅させることができる。
【００７９】
図７はそのデモ表示モード時の４つの光源の点滅状態を示すタイミングチャートである。図７では上段に示されているタイミングチャートの続きが中段さらには下段に示されている。
【００８０】
この実施形態のインスタントカメラではたとえば撮影ボタンを押したままパワースイッチを押すことでデモンストレーションモードが起動される。このときにはレンズ鏡胴が沈胴されたまま点滅が行われるので撮影が禁止された状態において４つの光源が繰り返し点滅する。
【００８１】
図７に示すようにこのデモ表示モードではＣＰＵが先ず光源ＬＥＤ４を５００ｍｓ間点灯させ、順に光源ＬＥＤ３、光源ＬＥＤ２、光源ＬＥＤ１の順序で５００ｍｓづつ点滅させる。その後ＣＰＵは５０ｍｓごとにＬＥＤ４からＬＥＤ１さらにＬＥＤ４へと点灯順序を変えて繰り返し点滅を行わさせる。そして３回５０ｍｓごとの点滅を繰り返させたら、今度は隣接したＬＥＤ同士を重複させて点滅させ、これを３回繰り返させたら、また５０ｍｓごとの点滅を繰り返させている。この場合にはＣＰＵが図７に示した一連の処理を一表示態様としてその表示態様による表示を繰り返し行わさせる。このようにＣＰＵにより撮影が禁止された状態でデモ表示モードによる表示を行わさせると、店頭にこのインスタントカメラを陳列しているときに４つの光源をイルミネーションとして作用させることができ、そのイルミネーションによってユーザにこのインスタントカメラの特徴を強烈にアピールすることができる。このデモ表示による表示をイルミネーションのように作用させることにより、いままでのインスタントカメラであればインスタントフィルムが展開されて排出されるときの音がうるさいであるとか、インスタントフィルムが排出されるまで時間がかかり過ぎて待つのがいやになるといった不満がユーザにあったが４つの光源を点滅させてイルミネーションのように作用させることでこういった不満が解消され、本実施形態のインスタントカメラを使うのが楽しみになるといった雰囲気をユーザに持たせることができる。
【００８２】
さらに販売時に、排出表示モード、充電表示モード、セルフタイマ撮影モードなどの異なる表示態様があることを販売者側からユーザ側に説明することができるようにしておくと、このインスタントカメラがいままでのものよりも楽しく使えるインスタントカメラであるということをユーザに対し伝えることができ、販売促進に繋がるといった効果もある。
【００８３】
なお、本実施形態のインスタントカメラでは撮影操作が行われたときにＣＰＵによって撮影ボタンにも当たる光源ＬＥＤ１を点灯させ続けることを行っているが、本発明はこれに拠らず、ＣＰＵによってその撮影撮影ボタンに当たる光源ＬＥＤ１を点滅させても良い。
【００８４】
また、本実施形態のインスタントカメラでは同色の発光ダイオードを複数用いて異なる表示態様を実現させているが、本発明はこれに拠らず、たとえば赤、青、緑、白色といったＬＥＤを用いて、色の変化により異なる表示態様を実現させても良い。
【００８５】
また、上記光源はＬＥＤに限らず、ＥＬ素子やバックライト付きのＬＣＤなどの電子表示素子であっても良い。
【００８６】
また本発明の表示制御部およびその表示制御部に制御され、異なる表示態様で表示を行う４つの光源を、記録媒体が装填されてその記録媒体に画像データに基づいて記録を行う記録装置に適用することも可能である。
【００８７】
図８は本発明のインスタントカメラが有するＣＰＵとＥＥＰＲＯＭとからなる表示制御部が内部に配備された記録装置ここではプリンタの外観を示す図である。
【００８８】
図８に示すようにパワースイッチ２０１が記録装置２００の筐体２００ａの上面に設けられている。またインスタントカメラに配備されたものと同等の４つの光源ＬＥＤ１〜ＬＥＤ４が排出口２０３に向かって配備されている。さらにパワースイッチ２０１とそれら４つの光源ＬＥＤ１〜ＬＥＤ４を挟んで複数回記録媒体の排出を繰り返させる複数記録モードを指示する操作子２０２などが配備されている。
【００８９】
また図８には示していないが、排出口２０３と反対の側にはメモリカードの挿着部が配備されており、ここに画像データが記憶されたメモリカードなどが装着されると、そのメモリカードに記憶されている画像データに基づいて記録媒体ここではインスタントフィルムへの記録を行えるようになっている。
【００９０】
また４つの光源ＬＥＤ１〜ＬＥＤ４のうち、排出口２０３側の光源ＬＥＤ１が本発明にいう記録指示ボタンになっており、この記録指示ボタンが押されるとインスタントフィルムへの記録が行われるようになっている。この記録装置２００ではインスタントカメラと同様に記録指示ボタンＬＥＤ１によって記録指示が行なわれると、排出方向に向かって並んで配備された４つのＬＥＤが順次点滅するようになっている。このときのＬＥＤを点滅させるときには、図４に示した排出表示モードでの表示と同様の表示を行わさせる制御が記録装置内部に配備された表示制御部により行われる。
【００９１】
上記記録装置において排出方向に順次点滅する機能はもちろん、記録動作中には排出中とは異なる点滅、点灯表示を行うことも可能である。
【００９２】
また複数記録モードが操作子２０２により選択されて複数記録モードが記録装置内部のＣＰＵに通知され、ＣＰＵにより複数記録モードが起動されたときには、この記録指示ボタンＬＥＤ１の１回の操作に応じてインスタントフィルムへの記録と記録後のインスタントフィルムの排出が複数回繰り返される。この複数記録モードにおいてＣＰＵとＥＥＰＲＯＭとからなる表示制御部によって４つの光源ＬＥＤ１〜ＬＥＤ４に、同一の表示態様を複数回繰り返し行わさせることが行われる。
【００９３】
さらに、この記録装置に配備された表示制御部はデモ撮影モードを持っており、たとえば記録指示ボタンを押しながらパワースイッチを押すとデモ表示モードがＣＰＵにより起動され、インスタントフィルムへの記録が禁止された状態において４つの光源ＬＥＤ１〜ＬＥＤ４を繰り返し点滅させることが行われる。
【００９４】
このようにすることで記録装置であってもインスタントカメラと同様の効果が得られる。
【００９５】
【発明の効果】
以上、説明したように、本発明のカメラによれば、ＬＥＤの発光制御技術を活用してユーザに対し、インスタントカメラおよび記録装置の動作状況を的確に伝えることができるインスタントカメラおよび記録装置を提供することができる。
【図面の簡単な説明】
【図１】本発明の実施形態であるインスタントカメラの外観を示す構成斜視図である。
【図２】本発明の実施形態であるインスタントカメラの外観を示す構成斜視図である。
【図３】本発明の実施形態であるインスタントカメラの側面図である。
【図４】インスタントカメラ内部に配備される信号処理部の構成を示す構成ブロック図である。
【図５】通常撮影のときの４つの光源の点滅状態を示すタイミングチャートである。
【図６】ダブルセルフタイマ撮影モードが起動されて撮影が行なわれたときの４つの光源の点滅状態を示すタイミングチャートである。
【図７】デモンストレーションモード時の４つの光源の点滅状態を示すタイミングチャートである。
【図８】本発明を示すインスタントカメラが有するＣＰＵとＥＥＰＲＯＭと４つのＬＥＤが内部に配備された記録装置の外観を示す図である。
【符号の説明】
１００  インスタントカメラ
１００ａ  カメラボディ
１０１  排出口
１０    操作子群
１０２  セルフタイマモードスイッチ
１０３  遠景／閃光強制オフモード切替スイッチ
１０４  明暗輝度モード切替スイッチ
１０５  パワースイッチ
１０６  撮影ボタン
１１０    レンズ鏡胴
１１１    バリア
１１２    撮影レンズ
１１３    撮影ボタン
１２０    ファインダ
１２１    測光用受光窓
１２２    調光用受光窓
１３０    閃光発光装置
１３０ａ    閃光発光窓
１４０    ＣＰＵ
１４１    ＥＥＰＲＯＭ
１４２    測光装置
１４３    第１駆動部
１４４    レンズ鏡胴駆動モータ
１４５    シャッタモータ
１４６    第２駆動部
１４７    展開モータ
１５０    ＬＣＤパネル
ＬＥＤ１    撮影ボタンと兼用の光源
ＬＥＤ２〜ＬＥＤ４    光源
【図１】
2004212831.tif 000003
【図２】
2004212831.tif 000004
【図３】
2004212831.tif 000005
【図４】
2004212831.tif 000006
【図５】
2004212831.tif 000007
【図６】
2004212831.tif 000008
【図７】
2004212831.tif 000009
【図８】
2004212831.tif 000010